(57)【要約】【課題】放送業者の手間を軽減し、放送業者側の装置に改造を加えることなく、抽選サービスを容易に提供することが可能な抽選システム及び抽選方法を提供する。【解決手段】本発明にかかる抽選システムは、ユーザの登録情報をユーザ端末から受付け、受付けた前記登録情報のユーザの中から、特定のユーザを決定する抽選システムであって、表示装置に表示されている映像内に、表示されている前記報知情報を検出する検出部と、検出部で報知情報が検出された際、登録情報の受付けを開始する開始決定部と、受付けた前記登録情報に基づいて、当該登録情報の前記ユーザの中から、特定のユーザを決定する抽選部とを具備する。【選択図】図１
2007323424.tif 000002
【特許請求の範囲】
【請求項１】
ユーザの登録情報をユーザ端末から受付け、受付けた前記登録情報のユーザの中から、特定のユーザを決定する抽選システムであって、
表示装置に表示されている映像内に、表示されている前記報知情報を検出する検出部と、
前記検出部で前記報知情報が検出された際、前記登録情報の受付けを開始する開始決定部と、
受付けた前記登録情報に基づいて、当該登録情報の前記ユーザの中から、前記特定のユーザを決定する抽選部と
を具備することを特徴とする抽選システム。
【請求項２】
前記検出部で前記報知情報が検出された際、所定の期間内であるか否かを判別する判別部を更に備え、
前記開始決定部は、前記判別部において、前記所定の期間内であると判別した場合のみ、前記登録情報の受付けを開始することを特徴とする請求項１に記載の抽選システム。
【請求項３】
登録情報をユーザ端末から受付け、受付けた前記登録情報のユーザの中から、特定のユーザを決定する抽選方法であって、
放送局が、映像内に抽選サービスを提供することを知らせる報知情報を表示して放送する放送ステップと、
検出装置が、表示装置に表示されている前記映像内の前記報知情報を検出する検出ステップと、
前記検出装置が、前記報知情報が検出されたことを制御サーバへ通知する通知ステップと、
前記制御サーバが、前記検出部からの通知を受け、前記登録情報の受付けを開始する開始決定ステップと、
前記制御サーバが、受付けた前記登録情報に基づいて、当該登録情報の前記ユーザの中から、前記特定のユーザを決定する抽選ステップと
を具備することを特徴とする抽選方法。
【発明の詳細な説明】
【技術分野】
【０００１】
本発明は、ユーザの登録情報をユーザ端末から受付け、受付けた登録情報のユーザの中から、特定のユーザを決定する抽選システム及び抽選方法に関する。
【背景技術】
【０００２】
従来、テレビジョン放送等の番組において、抽選で各種の商品を視聴者にプレゼントするための抽選サービスが提供されている。
【０００３】
このような抽選サービスに対する視聴者からの登録の受付方法には、従来から、葉書を郵送する方法が採用されている。
【０００４】
かかる場合、視聴者から郵送された大量の葉書の集計、抽選、当選した視聴者への通知等の作業負荷が大きいため、番組を放送する放送業者とは別に、広告代理店などの抽選提供業者が、この作業を担当することが多い。
【０００５】
一方、近年では、インターネットの普及に伴い、テレビジョン放送とインターネットとを使用した抽選システムが提案されている。
【０００６】
かかる抽選システムでは、テレビジョン放送の番組映像の中で、抽選サービスへの登録用ＷｅｂページのＵＲＬ（Ｕｎｉｖｅｒｓａｌ  Ｒｅｓｏｕｒｃｅ  Ｌａｎｇｕａｇｅ）を表示し、視聴者が当該ＵＲＬに基づいて、登録用Ｗｅｂページにアクセスして抽選サービスに登録するように構成されている。
【０００７】
このような抽選システムでは、登録受付開始、登録受付終了、登録者の集計、抽選、当選した登録者への通知等の抽選処理を、迅速にかつ自動で行うことができるので、従来行われていた葉書による登録の受付方法と比べ、抽選提供業者の負荷を大きく低減することができる。
【特許文献１】特開２００３−１４１２９７号公報
【発明の開示】
【発明が解決しようとする課題】
【０００８】
また、抽選サービスを適切に実施するため、抽選システムでは、登録受付開始から登録受付終了までの期間及び時刻等のスケジュールが設定されている。
【０００９】
しかしながら、従来の抽選システムでは、放送業者が、抽選サービスを提供する番組の放送スケジュールを、抽選提供業者に対して連絡し、抽選提供者が、当該番組の放送スケジュールに基づいて、抽選システムにおける抽選処理のスケジュールを設定している。
【００１０】
よって、かかる抽選システムでは、放送業者が、抽選サービスを提供する番組の放送スケジュールが変更される度に、変更された放送スケジュールを抽選提供業者に連絡しなければならず、手間がかかった。
【００１１】
また、かかる抽選システムは、放送業者側の放送用の装置等から、番組の放送スケジュールが変更したことを示すスケジュール情報を取得して、抽選処理のスケジュールの変更を、自動で実施する構成も考えられるが、放送業者側の装置に当該スケジュール情報を出力するように改造する等の作業負荷が生じるという問題があった。
【００１２】
さらに、放送業者が、スケジュールにない抽選サービスを、生放送の番組や特定の番組で、突発的に提供したい場合、抽選提供業者に対して連絡する時間が少ないため、抽選サービスを提供することが困難だった。
【００１３】
そこで、本発明は以上の点に鑑みてなされたもので、放送業者の手間を軽減し、放送業者側の装置に改造を加えることなく、抽選サービスを容易に提供することが可能な抽選システム及び抽選方法を提供することを目的とする。
【課題を解決するための手段】
【００１４】
本発明の第一の特徴は、ユーザの登録情報をユーザ端末から受付け、受付けた前記登録情報のユーザの中から、特定のユーザを決定する抽選システムであって、表示装置に表示されている映像内に、表示されている前記報知情報を検出する検出部と、前記検出部で前記報知情報が検出された場合、前記登録情報の受付けを開始する開始決定部と、受付けた前記登録情報に基づいて、当該登録情報の前記ユーザの中から、前記特定のユーザを決定する抽選部とを具備することを要旨とするものである。
【００１５】
かかる発明によれば、開始決定部が、表示装置の映像内に表示される報知情報に基づいて、ユーザの登録情報の受付けを開始するので、映像を放送する放送元において、当該映像の放送時間が変更されても、表示装置に表示される映像に、報知情報が表示された際に、ユーザ端末から送信される登録情報の受付けが開始される。
【００１６】
よって、かかる発明によれば、映像の放送元は、映像を放送する装置に改造を加えることなく、自由な時間に報知情報を放送するだけで、抽選サービスを提供することができるので、当該抽選サービスを容易に提供することできる。
【００１７】
また、本発明の第一の特徴において、前記検出部で前記報知情報が検出された際、所定の期間内であるか否かを判別する判別部を更に備え、
前記開始決定部は、前記判別部において、前記所定の期間内であると判別した場合のみ、前記登録情報の受付けを開始してもよい。
【００１８】
かかる発明によれば、所定の期間内である場合のみ、抽選システムが登録情報の受付けを開始するので、例えば、所定の期間外の再放送等における映像では、当該登録情報の受付けを行わない。
【００１９】
よって、かかる発明によれば、映像の放送元に装置を追加することなく、番組の放送時刻の変更又は再放送時刻に応じ、適切な期間内で抽選サービスを提供することができる。
【００２０】
本発明の第二の特徴は、登録情報をユーザ端末から受付け、受付けた前記登録情報のユーザの中から、特定のユーザを決定する抽選方法であって、放送局が、映像内に抽選サービスを提供することを知らせる報知情報を表示して放送する放送ステップと、検出装置が、表示装置に表示されている前記映像内の前記報知情報を検出する検出ステップと、前記検出装置が、前記報知情報が検出されたことを制御サーバへ通知する通知ステップと、前記制御サーバが、前記検出部からの通知を受け、前記登録情報の受付けを開始する開始決定ステップと、前記制御サーバが、受付けた前記登録情報に基づいて、当該登録情報の前記ユーザの中から、前記特定のユーザを決定する抽選ステップとを具備することを要旨とするものである。
【発明の効果】
【００２１】
本発明のによれば、放送業者の手間を軽減し、放送業者側の装置に改造を加えることなく、抽選サービスを容易に提供することが可能な抽選システム及び抽選方法を提供することができる。
【発明を実施するための最良の形態】
【００２２】
（本発明の第１実施形態における抽選サービス提供システムの構成）
本発明の実施形態における抽選サービス提供システム１０００について図面を参照しながら説明する。図１は、本実施形態に係る抽選サービス提供システム１０００の概略構成を示す図である。
【００２３】
図１に示すように、抽選サービス提供システム１０００は、抽選システム１００と、ネットワーク２と、表示装置６００乃至６１０と、ユーザ（視聴者）５００が使用するユーザ端末５１０と、放送局１とによって構成されている。
【００２４】
放送局１は、テレビジョン放送による番組の映像信号を放送するように構成されている。また、かかる放送信号は、後述する表示装置６００乃至６１０で受信される。
【００２５】
また、本実施形態にかかる放送局１は、映像信号を送信する地上波テレビジョンの放送局１を想定しているが、ＣＡＴＶ（ＣＡｂｌｅ ＴｅｌｅＶｉｓｉｏｎ）及びインターネットを使用した有線放送の放送局１や、ＢＳ（Ｂｒｏａｄｃａｓｔｉｎｇ Ｓａｔｅｌｌｉｔｅ）等の衛星を使用した衛星放送の放送局１などでもよい。
【００２６】
また、放送局１は、番組の映像内に抽選サービスを提供することを知らせる報知情報を表示させる映像信号を放送するように構成されている。
【００２７】
ここで、抽選サービスとは、ユーザの登録情報を後述するユーザ端末５１０から受付け、受付けた登録情報のユーザの中から、各種商品をプレゼントするため、特定のユーザを決定するサービスである。
【００２８】
また、本実施形態にかかる報知情報は、２次元バーコード７００乃至７１０に含まれる抽選サービスを識別するための抽選識別情報（例えば、Ａ００１）ある場合を例に説明する。
【００２９】
また、本実施形態にかかる２次元バーコードには、インターネットのアドレスであるＵＲＬが含まれている。
【００３０】
また、当該ＵＲＬは、インターネットのアドレス先として、後述する制御サーバ２０に具備されるＷｅｂ情報提供部２４を示している。
【００３１】
なお、上述した報知情報は、例えば、映像内に表示されるＵＲＬを示す文字であってもよいし、電話番号であってもよいし、抽選サービスを識別する抽選識別情報を示す文字であってもよい。
【００３２】
表示装置６００乃至６１０は、放送局１から放送される映像信号を受信し、映像として表示するように構成されている。
【００３３】
また、映像信号を受信した表示装置６００乃至６１０は、映像内に、上述した２次元バーコードを表示する。
【００３４】
本実施形態に係るネットワーク２は、インターネットを想定している。なお、かかるネットワーク２は、ローカルエリアネットワークや、無線通信技術を使用した携帯電話ネットワークで構成されていてもよい。
【００３５】
ユーザ端末５１０は、ブラウザの機能を有しており、ネットワーク２を介して、Ｗｅｂサーバ（図示せず）にアクセスし、当該ＷｅｂサーバからＷｅｂページ情報を受信し、Ｗｅｂページを表示するように構成されている。
【００３６】
また、本実施形態に係るユーザ端末５１０は、２次元バーコードの読取機能を有しており、ユーザ（視聴者）５００の所定の操作によって、表示装置６００乃至６１０に表示される映像内に表示される２次元バーコードに含まれるＵＲＬを読み取るように構成されている。
【００３７】
また、ユーザ端末５１０は、読み取った当該ＵＲＬが示すアドレス先にアクセスして、Ｗｅｂページを表示するように構成されている。
【００３８】
また、本実施形態では、かかる２次元バーコードに含まれるＵＲＬの示すアドレス先が、制御サーバ２０のＷｅｂ情報提供部２４を示している。
【００３９】
よって、かかる２次元バーコードを読み取ったユーザ端末５１０は、ネットワーク２を介して、後述する制御サーバ２０のＷｅｂ情報提供部２４にアクセスし、抽選サービスへの参加登録用の登録用Ｗｅｂページ情報を受信すると共に、登録用Ｗｅｂページを表示するように構成されている。
【００４０】
ここで、本実施形態では、後述する制御サーバ２０のＷｅｂ情報提供部２４にアクセスするため、表示装置６００乃至６１０に表示される映像内に、２次元バーコードが表示される場合を例に説明するが、当該映像内にＵＲＬが表示される場合には、ユーザ端末５１０が、ユーザ５００の所定の操作（ボタンの押下等）によって、当該ＵＲＬが入力され、ネットワーク２を介して、制御サーバ２０のＷｅｂ情報提供部２４にアクセスし、登録用Ｗｅｂページを表示する。
【００４１】
また、ユーザ端末５１０は、登録用Ｗｅｂページを表示し、ユーザ５００の所定の操作（ボタンの押下等）によって、ネットワーク２を介して、後述する制御サーバ２０のＷｅｂ情報提供部２４へ登録情報を送信するように構成されている。
【００４２】
ここで、上述した登録情報には、抽選サービスを識別する抽選識別情報と、ユーザ５００の所定の操作（ボタンの押下等）によって入力されたユーザ５００の名前と、住所と、ユーザ端末５１０に電子メールを送信するためのメールアドレスとが含まれている。
【００４３】
なお、本実施形態に係るユーザ端末５１０は、携帯電話を想定しているが、上述した機能を有するＰＤＡ（Ｐｅｒｓｏｎａｌ Ｄｉｇｉｔａｌ Ａｓｓｉｓｔａｎｃｅ）や、パーソナルコンピュータ等によって構成されていても良い。
【００４４】
次に、本実施形態に係る抽選システム１００の構成について説明する。
【００４５】
図１に示すように、かかる抽選システム１００は、検出装置１０と、制御サーバ２０とを具備する。
【００４６】
検出装置１０は、検出部１１と通信部１２とを具備している。
【００４７】
検出部１１は、表示装置６００に表示されている映像内に、表示されている報知情報を検出するように構成されている。
【００４８】
具体的に、検出部１１は、表示装置６００の映像内に表示される２次元バーコード７００を読み取ることで、当該２次元バーコード７００に含まれる抽選識別情報を、報知情報として検出するように構成されている。
【００４９】
なお、検出部１１は、文字を光学的に読み取る光学文字読み取り装置であるＯＣＲ（Ｏｐｔｉｃａｌ Ｃｈａｒａｃｔｅｒ Ｒｅａｄｅｒ）などによって構成されていてもよい。
【００５０】
かかる場合、検出部１１では、表示装置６００の映像内に表示される報知情報が、例えば、ＵＲＬを示す文字や、抽選サービスを識別する識別情報などで表示されていても、当該ＵＲＬや識別情報を検出することができる。
【００５１】
また、表示装置６００から、有線信号又は無線信号で当該報知情報を出力する機能を有している場合には、検出部１１は、当該有線信号又は無線信号で、当該報知情報を検出するように構成されていてもよい。
【００５２】
通信部１２は、検出部１１と制御サーバ２０の通信部２１との間で通信するように構成されている。
【００５３】
また、通信部１２は、検出部１１において、報知情報である抽選識別情報が検出された際、検出された抽選識別情報を含む検出情報を生成し、制御サーバ２０の通信部２１へ送信するように構成されている。
【００５４】
また、検出部１１が、報知情報としてＵＲＬを検出した場合、通信部１２は、当該ＵＲＬを含む検出情報を生成し、制御サーバ２０の通信部２１へ送信するように構成されていてもよい。
【００５５】
また、通信部１２は、検出部１１と制御サーバ２０の通信部２１との間において、ネットワーク２を介して、通信するように構成されていてもよいし、ローカルエリアネットワークや、無線通信技術を使用した携帯電話ネットワーク等を介して通信するように構成されていてもよい。
【００５６】
制御サーバ２０は、Ｗｅｂサーバの機能を有しており、ネットワーク２を介して、ブラウザの機能を有するユーザ端末５１０に対してＷｅｂページ情報を送信するように構成されている。
【００５７】
また、制御サーバ２０は、通信部２１と、抽選情報記憶部２２と、登録者記憶部２３と、Ｗｅｂ情報提供部２４と、登録処理部２５と、抽選処理部２６とを具備している。
【００５８】
通信部２１は、Ｗｅｂ情報提供部２４と、登録処理部２５と、抽選処理部２６と、検出装置１０の通信部１２との間で通信するように構成されている。
【００５９】
また、通信部２１は、検出装置１０の通信部１２から送信される検出情報を受信するように構成されている。
【００６０】
また、通信部２１は、ネットワーク２と接続され、当該ネットワーク２を介して、一つ又は複数のユーザ端末５１０との間で通信するように構成されている。
【００６１】
具体的に、通信部２１は、ネットワーク２を介して、ユーザ端末５１０へ、抽選サービスへの参加登録用のＷｅｂページ情報を送信するように構成されている。
【００６２】
また、通信部２１は、ユーザ端末５１０から、当該抽選サービスへの参加登録を要求する登録情報を受信するように構成されている。
【００６３】
また、通信部２１は、後述する抽選処理部２６で生成された電子メールをユーザ端末５１０へ送信するように構成されている。
【００６４】
抽選情報記憶部２２は、図３に示す抽選情報テーブルを備えている。
【００６５】
かかる抽選情報テーブルは、“抽選識別情報”と、“ＵＲＬ”と、“抽選サービス提供期間”と、“受付を開始／終了”との各情報を関連付けて記憶するように構成されている。
【００６６】
“抽選識別情報”は、抽選サービスを識別する情報であり、例えば、“Ａ００１”等である。
【００６７】
“抽選サービス提供期間”は、抽選サービスを提供する期間を示す情報であり、例えば、“２００６年２月１日から２００６年９月１日”等の期間を示す情報が記憶されている。
【００６８】
“ＵＲＬ”は、抽選サービスに対する参加登録を行うためのアクセス先を示すインターネットのアドレスである。
【００６９】
“受付を開始／終了”には、現在が、参加登録の受付を開始又は終了しているかを示す情報であり、“開始”又は“終了”が記憶されている。
【００７０】
なお、上述した抽選情報テーブルでは、上述した“抽選識別情報”と、“ＵＲＬ”と、“抽選サービス提供期間”とが、予め記憶されている。
【００７１】
登録者記憶部２３は、図４に示す複数の登録者情報テーブルを備えている。
【００７２】
かかる登録者情報テーブルは、抽選サービスを識別する“抽選識別情報”と、当該抽選サービスに参加登録したユーザ端末５１０のユーザ５００を識別する“ユーザ識別情報”と、当該ユーザ５００の“名前”と、当該ユーザ５００の“住所”と、ユーザ端末５１０へ電子メールを送信するための“メールアドレス”との各種情報を関連付けて記憶するように構成されている。
【００７３】
Ｗｅｂ情報提供部２４は、各種Ｗｅｂページ情報を記憶しており、通信部２１及びネットワーク２を介して、ユーザ端末５１０へ、当該Ｗｅｂページ情報を送信するように構成されている。
【００７４】
具体的に、Ｗｅｂ情報提供部２４は、通信部２１及びネットワーク２を介して、ユーザ端末５１０へ、抽選サービスに対する参加登録用の登録用Ｗｅｂページ情報を送信するように構成されている。
【００７５】
また、Ｗｅｂ情報提供部２４は、ユーザ端末５１０から送信された登録情報を、通信部２１を介して受信するように構成されている。
【００７６】
また、Ｗｅｂ情報提供部２４は、当該登録情報が受信された際、後述する登録処理部２５へ当該登録情報を送信するように構成されている。
【００７７】
登録処理部２５は、図５に示すように、判別部２５１と、開始決定部２５２とを具備し、登録情報の受付を開始する受付開始処理を実施するように構成されている。
【００７８】
判別部２５１は、検出部１１で報知情報が読み取られた際、所定の期間内であるか否かを判別するように構成されている。
【００７９】
具体的に、判別部２５１は、検出装置１０から送信された検出情報を通信部２１が受信した場合、抽選情報テーブルを参照し、当該検出情報に含まれる抽選識別情報に関連付けて記憶されている“抽選サービス提供期間”を特定するように構成されている。
【００８０】
そして、判別部２５１は、特定した“抽選サービス提供期間”の期間を示す情報に基づいて、現在が、当該期間内であるか否かを判別するように構成されている。
【００８１】
また、判別部２５１は、特定した“抽選サービス提供期間”の期間内であると判別した場合、後述する開始決定部２５２へ、検出情報に含まれている抽選識別情報を通知するように構成されている。
【００８２】
開始決定部２５２は、判別部２５１において、所定の期間内であると判別した場合のみ、抽選サービスに対する登録情報の受付を開始するように構成されている。
【００８３】
具体的に、開始決定部２５２は、判別部２５１から抽選識別情報を通知されると、抽選情報テーブルを参照し、通知された抽選識別情報に関連付けて記憶されている “登録開始／終了”を、“開始”に変更して記憶するように構成されている。
【００８４】
また、開始決定部２５２は、“登録開始／終了”の項目を“開始”に変更してから、変更した当該“開始”に関連付けて記憶されている“登録期間”の期間（例えば、１ヶ月）が経過した場合、当該“登録開始／終了”を“開始”から“終了”へ変更して記憶するように構成されている。
【００８５】
また、開始決定部２５２は、“登録開始／終了”を“開始”から“終了”へ変更した際、抽選情報テーブルを参照し、変更した当該“終了”に関連付けて記憶されている抽選識別情報を、後述する抽選処理部２６へ通知するように構成されている。
【００８６】
また、判別部２５１と開始決定部２５２とを備える登録処理部２５は、Ｗｅｂ情報提供部２４から送信される登録情報に基づいて、受付処理を実施するように構成されている。
【００８７】
具体的に、登録処理部２５は、Ｗｅｂ情報提供部２４から登録情報が送信されると、抽選情報記憶部２２に備えられる抽選情報テーブルを参照し、受信した登録情報に含まれる抽選識別情報に関連付けて記憶されている“登録開始／終了”を特定するように構成されている。
【００８８】
そして、登録処理部２５は、特定した “登録開始／終了”が“開始”であるか否かを判別し、当該“登録開始／終了”が“開始”である場合のみ、受信した登録情報に含まれる抽選識別情報に対応する登録者情報テーブルへ、新たに生成した“ユーザ識別情報”と、当該登録情報に含まれる“名前”、“住所”、“メールアドレス”等の情報とを記憶するように構成されている。
【００８９】
抽選処理部２６は、受付けた登録情報に基づいて、登録情報のユーザの中から、特定のユーザを決定するための抽選処理を実施するように構成されている。
【００９０】
なお、上述する特定のユーザとは、例えば、番組の映像で表示された各種商品等が、プレゼントされるユーザである。
【００９１】
また、具体的に、抽選処理部２６は、開始決定部２５２から、抽選識別情報を通知されると、当該抽選識別情報に対応する登録者情報テーブルを特定するように構成されている。
【００９２】
そして、抽選処理部２６は、特定した登録者情報テーブルの中から、一つ又は複数のユーザ識別情報を決定するように構成されている。
【００９３】
また、抽選処理部２６は、決定したユーザ識別情報に関連付けて記憶されているメールアドレスを送信先とする電子メールを、例えば、ユーザ端末５１０へ送信し、当該ユーザ端末５１０のユーザ５００に対して、抽選サービスに当選したことを通知するように構成されている。
【００９４】
なお、本実施形態に係る制御サーバ２０の各機能は、一つのサーバによって構成されていてもよいし、複数のサーバによって構成されていてもよい。
【００９５】
（本実施形態に係る抽選サービス提供システムの動作）
上記の構成を有する抽選サービス提供システム１０００の動作について、図を参照して説明する。図６は、本実施形態に係る抽選サービス提供システム１０００の動作を示すシーケンス図である。
【００９６】
ステップＳ１１において、放送局１から、番組の映像信号が放送され、表示装置６００乃至６１０で受信される。
【００９７】
また、当該映像信号を受信した表示装置６００乃至６１０は、番組の映像と、当該映像内に２次元バーコード７００乃至７１０とを表示する。
【００９８】
ステップＳ１２において、検出装置１０の検出部１１は、表示装置６００の映像内に表示されている２次元バーコードから、当該２次元バーコードに含まれる抽選識別情報を検出する。
【００９９】
ステップＳ１３において、検出装置１０の通信部１２は、検出部１１で検出された抽選識別情報を含む検出情報を生成し、制御サーバ２０の通信部２１へ送信する。
【０１００】
ステップＳ１４において、制御サーバ２０では、通信部２１が検出情報を受信し、登録処理部２５が、受付開始処理を実施する。なお、当該受付開始処理の動作については、詳細を後述する。
【０１０１】
ステップＳ１５において、ユーザ端末５１０は、ユーザ５００の所定の操作により、表示装置６１０の映像内に表示される２次元バーコード７１０に含まれるＵＲＬを読み取る。
【０１０２】
ステップＳ１６において、ユーザ端末５１０は、読み取ったＵＲＬに基づいて、ネットワーク２を介して、制御サーバ２０のＷｅｂ情報提供部２４にアクセスすると共に、登録用Ｗｅｂページ情報を受信して、抽選サービスへの参加登録用の登録用Ｗｅｂページを表示する。
【０１０３】
また、ユーザ端末５１０は、表示される登録用Ｗｅｂページに基づいて、ユーザ５００の所定の操作（ボタンの押下等）により、ネットワーク２及び制御サーバ２０の通信部２１とを介して、Ｗｅｂ情報提供部２４へ登録情報を送信する。
【０１０４】
ステップＳ１７において、制御サーバ２０では、Ｗｅｂ情報提供部２４が、登録情報を受信し、当該登録情報を登録処理部２５へ送信する。
【０１０５】
また、当該登録情報を受信した登録処理部２５は、受付処理を実施する。また、所定の期間が経過後、制御サーバ２０の抽選処理部２６は、抽選処理を実施する。
【０１０６】
なお、受付処理及び抽選処理の動作については、詳細を後述する。
【０１０７】
（本実施形態に係る抽選システムの受付開始処理）
次に、図７を参照して、本実施形態に係る抽選システム１００の受付開始処理の動作について説明する。
【０１０８】
図７のステップＳ１４１において、制御サーバ２０の通信部２１が、検出装置１０から送信された検出情報を受信する。
【０１０９】
ステップＳ１４２において、登録処理部２５の判別部２５１は、抽選情報テーブルを参照し、当該検出情報に含まれる抽選識別情報に関連付けて記憶されている“抽選サービス提供期間”を特定する。
【０１１０】
そして、判別部２５１は、特定した“抽選サービス提供期間”に基づいて、現在が、当該期間内であるか否かを判別する。
【０１１１】
また、判別部２５１は、“抽選サービス提供期間”の期間内であると判別した場合、後述する開始決定部２５２へ、抽選サービスを識別する抽選識別情報を通知する。
【０１１２】
また、判別部２５１は、“抽選サービス提供期間”の期間内でないと判別した場合、抽選識別情報を通知しない。
【０１１３】
ステップＳ１４３において、開始決定部２５２は、判別部２５１から抽選識別情報を通知されると、抽選情報テーブルを参照し、通知された抽選識別情報に関連付けて記憶されている “登録開始／終了”を、“開始”に変更して記憶する。
【０１１４】
（本実施形態に係る抽選システムの受付処理及び抽選処理の動作）
次に、図８を参照して、本実施形態に係る抽選システム１００の受付開始処理及び抽選処理の動作について説明する。ここで、図８に示すステップＳ１７１乃至Ｓ１７２が、受付処理の動作を示し、ステップＳ１７３乃至Ｓ１７４が、抽選処理の動作を示している。
【０１１５】
図８のステップＳ１７１において、制御サーバのＷｅｂ情報提供部２４が、ユーザ端末５１０から送信された登録情報を受信する。また、Ｗｅｂ情報提供部２４は、受信した登録情報を登録処理部２５へ送信する。
【０１１６】
ステップＳ１７２において、登録処理部２５は、抽選情報記憶部２２に備えられる抽選情報テーブルを参照し、受信した登録情報に含まれる抽選識別情報に関連付けて記憶されている“登録開始／終了”を特定する。そして、登録処理部２５は、特定した “登録開始／終了”が“開始”であるか否かを判別する。
【０１１７】
ステップＳ１７３において、登録処理部２５は、当該“登録開始／終了”が“開始”である場合、受信した登録情報に含まれる抽選識別情報に対応する登録者情報テーブルへ、新たに生成した“ユーザ識別情報”と当該登録情報に含まれる“名前”、“住所”、“メールアドレス”等の情報とを関連付けて記憶する。
【０１１８】
また、登録処理部２５は、当該“登録開始／終了”が“開始”でない場合、登録情報に含まれる各種情報を記憶しない。
【０１１９】
ステップＳ１７４において、開始決定部２５２は、“登録開始／終了”の項目を“開始”に変更してから、変更した当該“開始”に関連付けて記憶されている“登録期間”の期間（例えば、１ヶ月）が経過した場合、当該“登録開始／終了”を“開始”から“終了”へ変更して記憶する。
【０１２０】
また、開始決定部２５２は、“登録開始／終了”を“開始”から“終了”へ変更した際、抽選情報テーブルを参照し、変更した当該“終了”に関連付けて記憶されている抽選識別情報を、抽選処理部２６へ通知する。
【０１２１】
当該通知を受けた抽選処理部２６は、抽選識別情報に対応する登録者情報テーブルを特定する。
【０１２２】
そして、抽選処理部２６は、特定した登録者情報テーブルの中から、一つ又は複数のユーザ識別情報を決定する。
【０１２３】
ステップＳ１７５において、抽選処理部２６は、決定したユーザ識別情報に関連付けて記憶されているメールアドレスに基づいて、当該メールアドレスを送信先とする電子メールを、例えば、ユーザ端末５１０へ送信する。
【０１２４】
抽選処理部２６が、当該電子メールを送信することによって、抽選サービスに当選したことが、当該ユーザ端末５１０のユーザ５００に対して通知される。
【０１２５】
（本実施形態における抽選サービス提供システムの作用・効果）
本実施形態にかかる抽選サービス提供システム１０００によれば、抽選システム１００の検出装置１０が、表示装置６００の映像内に表示される報知情報を検出して検出情報を生成し、開始決定部２５２が、検出された検出情報に基づいて、ユーザ端末５１０から送信される登録情報の受付けを開始するので、放送時間が変更されても、変更された放送時間に応じて登録情報の受付けを開始できる。
【０１２６】
また、かかる抽選サービス提供システム１０００によれば、当該報知情報が検出装置１０で検出されても、抽選情報記憶部２２で予め設定される期間内である場合のみ、登録処理部２５が、登録情報の受付けを開始するので、例えば、所定の期間外の再放送等における映像では、当該登録情報の受付けを行わず、適切に抽選サービスを実施できる。
【０１２７】
また、放送元（放送業者）は、従来どおり報知情報を映像信号に含み送信するのみで、放送用の装置に改造することなく、抽選サービスを提供できる。
【０１２８】
また、放送元（放送業者）は、スケジュールにない抽選サービスを、生放送の番組や特定の番組で、突発的に提供したい場合においても、予め定められた報知情報を映像信号に含み送信するのみで、抽選提供業者に対して連絡することなく、抽選サービスを提供することができる。
【０１２９】
よって、かかる発明によれば、映像の放送元（放送業者）に装置を追加することなく、番組の放送時刻の変更又は再放送時刻に応じ、適切な期間内で抽選サービスを提供することができる。
【図面の簡単な説明】
【０１３０】
【図１】本実施形態に係る抽選サービス提供システム１０００を示す概略構成図である。
【図２】本実施形態に係る検出装置１０の構成を示すブロック図である。
【図３】本実施形態に係る抽選情報記憶部２２に記憶される抽選情報テーブルを示す図である。
【図４】本実施形態に係る登録者記憶部２３に記憶される登録者情報テーブルを示す図である。
【図５】本実施形態に係る制御サーバ２０の登録処理部２５の構成を示すブロック図である。
【図６】本実施形態に係る抽選サービス提供システム１０００の動作を示すシーケンス図である。
【図７】本実施形態に係る抽選システム１００における抽選開始処理の動作を示すフローチャートである。
【図８】本実施形態に係る抽選システム１００における受付処理及び抽選処理の動作を示すフローチャートである。
【符号の説明】
【０１３１】
Ｓ１１乃至１７…ステップ、Ｓ１４１乃至１４３…ステップ、Ｓ１７１乃至１７５…ステップ、１…放送局、２…ネットワーク、１０…検出装置、１１…検出部、１２…通信部、２０…制御サーバ、２１…通信部、２２…抽選情報記憶部、２３…登録者記憶部、２４…Ｗｅｂ情報提供部、２５…登録処理部、２６…抽選処理部、２５１…判別部、２５２…開始決定部、５００…ユーザ、５１０…ユーザ端末、６００乃至６１０…表示装置、７００乃至７１０…２次元バーコード、１００…抽選システム、１０００…抽選サービス提供システム
【図１】
2007323424.tif 000003
【図２】
2007323424.tif 000004
【図３】
2007323424.tif 000005
【図４】
2007323424.tif 000006
【図５】
2007323424.tif 000007
【図６】
2007323424.tif 000008
【図７】
2007323424.tif 000009
【図８】
2007323424.tif 000010